(57)【特許請求の範囲】
【請求項１】
作業現場に立設する支持体に昇降自在でかつ水平面内で回転不能に吊下されたスライドポストと、このスライドポストの下端に設けられ長方形断面の竪穴を掘削する掘削装置とを備え、この掘削装置は、前記スライドポストの下端に形成された２又状の支持脚部を有し、前記それぞれの支持脚部には該支持脚部の略全長にわたってその一側部に無端回動自在とされたチエン状の主掘削刃と、この主掘削刃の下端縁と下端縁が略一致するドラム型の副掘削刃とが並設され、かつ一方の支持脚部の主掘削刃と他方の支持脚部の副掘削刃とが互い違いに隣り合うように配置したことを特徴とする連続壁掘削機。
【発明の詳細な説明】
【０００１】
【発明の属する技術分野】
本発明は、地中に連続壁を造成するに適する連続壁掘削機に関する。
【０００２】
【従来の技術】
従来から、地盤を掘削してその掘削跡に連続壁を造成することが行われている。このような地中連続壁の造成のための掘削には、従来、駆動部に複数本の掘削軸を並列して垂下し、これら掘削軸により竪穴列を掘削し、その竪穴の一部をラップさせて一連の穴とすることにより地中に連続柱列を形成し、これにより連続壁とする工法が広く知られている。
【０００３】
【発明が解決しようとする課題】
しかるに上記従来の工法に用いられる掘削機は、個々の掘削軸を回転させて地盤を削孔するので、その掘削軸の回転反力を受けるために駆動部を支持する堅牢なリーダマストが必要となり、装置全体が著しく大掛りなものとならざるを得ないという問題点があった。
【０００４】
【課題を解決するための手段】
本発明は、装置を大型化することなく地盤に竪穴を掘削し、連続壁を造成することができる連続壁掘削機を提供することを課題とするもので、作業現場に立設する支持体に昇降自在でかつ水平面内で回転不能に吊下されたスライドポストと、このスライドポストの下端に設けられ長方形断面の竪穴を掘削する掘削装置とを備え、この掘削装置は、前記スライドポストの下端に形成された２又状の支持脚部を有し、前記それぞれの支持脚部には該支持脚部の略全長にわたってその一側部に無端回動自在とされたチエン状の主掘削刃と、この主掘削刃の下端縁と下端縁が略一致するドラム型の副掘削刃とが並設され、かつ一方の支持脚部の主掘削刃と他方の支持脚部の副掘削刃とが互い違いに隣り合うように配置したことを特徴とする。
【０００５】
したがって上記チエン状の主掘削刃およびドラム型の副掘削刃を回転駆動しつつスライドポストを下降させることにより地盤が削孔される。このとき上記主掘削刃およびこれを支持するスライドポストには水平面内での回転トルクの反力が作用しないので、スライドポストを支持する支持体は比較的軽量かつ小型なものですみ、装置全体の構造をコンパクトに構成することができる。また副掘削刃が前記支持脚部の範囲を掘削するので掘り残しがない。
【０００６】
【発明の実施の形態】
以下、本発明を図面に示す実施の形態を参照して説明する。
【０００７】
図１は本発明による連続壁掘削機の全体構成例の側面を示し、図２（Ａ），（Ｂ）は同主要部の正面および側面を示し、さらに図２（Ｃ）は図２（Ｂ）のＡ−Ａ矢視を示している。
【０００８】
上記図において、スライドポスト１は両側縁が円弧状とされた偏平形状を有し、その上端が作業機械２の支持体としてのブーム３の上部にワイヤ４、滑車５，６を介して吊持され、このスライドポスト１の下方部は作業機械２の前方に延びるアーム７に支持部８を介して昇降可能かつ水平面内では不回転に支持され、前記ワイヤ４の巻上げ巻下げによりスライドポスト１が支持部８にそって上下動されるようになっている。
【０００９】
上記支持部８は、図２（Ａ），（Ｃ）にその一例を示すように、前記アーム７の先端の軸受部９に左右の把持部材１０の基部１０ｂが共通の軸１１により水平面内で回転自在に枢支され、これら把持部材１０の先端は前記スライドポスト１の側縁に嵌合する凹部を有する把持部１０ａ，１０ａとされ、基部１０ｂに図示しないボルト等で固定されている。各把持部１０ａ，１０ａの後方位置には、基部が前記アーム７に枢支されたシリンダ１２，１２のピストンロッド１２ａ，１２ａの先端が連結されていて、シリンダ１２，１２のピストンロッド１２ａ，１２ａの作動により把持部材１０が水平面内で旋回可能とされ、コーナー部での掘削時等に首を振れるようになっている。
【００１０】
前記スライドポスト１の下端部は、正面よりみて図２（Ａ）のように２又状に分岐されて支持脚部１３，１３とされており、これら支持脚部１３，１３の下方部は側面よりみて図２（Ｂ）のように互いに反対方向にずれるようクランク状に屈曲されている。
【００１１】
上記各支持脚部１３，１３の上下部にはスプロケット１４，１５が軸着されており、これらスプロケット１４，１５間には無端状の主掘削刃１６が巻回されている。この主掘削刃１６は、上記スプロケット１４，１５の歯に係合して巻回されるチエン１７と、このチエン１７の外面に固着されたプレート１７ａ，１７ａ…に互いに位置をずらせて突設されたビット１８，１８…とからなっている。
【００１２】
前記下部のスプロケット１５は、油圧モータ１９の回転フランジ２０に固着されており、この回転フランジ２０にはドラム型の副掘削刃２１がその一側の取付座２１ａにより固着されており、この副掘削刃２１の外周面には互いに位置を異にするビット２２，２２…を有している。そしてこの副掘削刃２１内に前記の油圧モータ１９が隠蔽されている。
【００１３】
したがって上記支持脚部１３，１３の水平投影面は、竪穴の長方形断面に対応し、この竪穴の横幅方向一半部は主掘削刃１６で、他半部は副掘削刃２１で掘削することができる形態となり、下面からみたとき図６に示すように主掘削刃１６，１６と副掘削刃２１，２１とが互い違いにおかれた掘削装置を構成している。
【００１４】
上記油圧モータ１９を回転駆動するための油圧配管２３，２３はスライドポスト１内を通してスライドポスト１の上端から外部に導出されて作業機械２上の図示しない油圧機器に接続されている。
【００１５】
上記スライドポスト１内にはセメントモルタル等の薬液注入用ホース２４，２４が配管され、その下端は図４に示すように支持脚部１３の屈曲部１３ａに導かれ、その屈曲部１３ａの下端に開口する注出口２５からスプロケット１５と副掘削刃２１との間の位置に注出されるようになっており、このホース２４，２４の上方部はスライドポスト１の上端から外部に導出されて図示しない薬液供給源に接続されている。
【００１６】
前記上部のスプロケット１４の軸２６は、支持脚部１３のガイド２７にそって上下方向にスライド可能に支持された軸箱２８に支持されており、この軸箱２８は支持脚部１３のフランジ部２９に挿通するネジ軸３０が固着され、前記フランジ部２９に挿通する部分のネジ軸３０に螺合されたナット３１，３１の回動操作により軸箱２８を上下方向にスライドさせてスプロケット１４，１５の軸間距離、すなわち主掘削刃１６のチエン１７の張りを調整可能とされている。
【００１７】
次に上記実施形態の作用を説明する。
【００１８】
連続壁を造成する現場に作業機械２を移動させ、連続壁造成地点にスライドポスト１を吊り下ろして接地させたのち油圧配管２３，２３を通じ油圧モータ１９に圧油を供給して下部のスプロケット１５および副掘削刃２１を回転駆動させると、主掘削刃１６および副掘削刃２１の各ビット１８，２２により地盤が掘削され、各支持脚部１３，１３の主、副掘削刃１６，２１，１６，２１の水平投影面に相当する面積がスライドポスト１の下降に支障をきたさぬよう掘削され、スライドポスト１を徐々に下降させることにより平面視において横長矩形状の竪穴が掘削される。
【００１９】
上記掘削時にホース２４，２４を通じてセメントモルタル等の薬液を供給し、その注出口２５，２５から薬液を注出させる。この薬液は主、副掘削刃１６，２１の回転により掘削土砂と撹拌混練される。
【００２０】
予定の深度まで掘削が進行したのちはワイヤ４を巻き上げてスライドポスト１を引き上げ、主、副掘削刃１６，２１を地上に引き上げる。この引き上げは緩速で行われ、必要により薬液の注出を継続する。
【００２１】
１本の竪穴の掘削が完了したのち、ブーム１３を旋回させて隣位の竪穴を上記竪穴と一部がラップするように前記と同様に竪穴を掘削し、こうして順次連続して施工することにより地中に連続壁が造成される。
【００２２】
【発明の効果】
以上説明したように本発明によれば、掘削時に主掘削刃およびこれを支持するスライドポストには水平面内での回転トルクの反力が作用することがなく、そのためスライドポストを支持する支持体は比較的軽量かつ小型なものですみ、装置全体の構造を著しくコンパクトに構成し、しかも、一方の支持脚部の主掘削刃と他方の支持脚部の副掘削刃とが互い違いに隣り合うように配置したので、幅の狭い長方形断面の竪穴を掘り残しがなく、高能率に掘削することができる。
【図面の簡単な説明】
【図１】本発明による連続壁掘削機の全体構成例を示す掘削途上の側面図。
【図２】（Ａ）〜（Ｃ）は本発明の主要部を示すもので、（Ａ）は正面図、（Ｂ）は側面図、（Ｃ）は（Ｂ）のＡ−Ａ矢視図。
【図３】図２における主掘削刃の一つを示す拡大正面図。
【図４】図３の縦断面図。
【図５】図３の背面図。
【図６】図２の下面拡大図。
【図７】図４のＢ−Ｂ矢視図。
【符号の説明】
１  スライドポスト
２  作業機械
３  ブーム（支持体）
４  ワイヤ
７  アーム
８  支持部
１０  把持部材
１２  シリンダ
１３  支持脚部
１４  上部のスプロケット
１５  下部のスプロケット
１６  主掘削刃
１７  チエン
１９  油圧モータ
２１  副掘削刃
２３  油圧配管
２４  薬液注入用ホース
２５  注出口
２８  軸箱
３０  ネジ軸
【図１】
0003660048.tif 000002
【図２】
0003660048.tif 000003
【図３】
0003660048.tif 000004
【図４】
0003660048.tif 000005
【図５】
0003660048.tif 000006
【図６】
0003660048.tif 000007
【図７】
0003660048.tif 000008